(57)【要約】本発明の第一の特徴によれば、第一ＰＦＭ鍛練機（２２）および第二ＰＦＭ鍛練機（２４）を含み、各ＰＦＭ鍛練機が使用者の膣へ挿入するための頭部（４）、および前記頭部から延在する尾（６）を有し、第一ＰＦＭ鍛練機（２２）が第二ＰＦＭ鍛練機（２４）よりも重く、かつ第一ＰＦＭ鍛練機（２２）は第二ＰＦＭ鍛練機（２４）よりも小さい頭部（４）を有しかつ／または前記頭部（４）から前記尾（６）へ徐々に傾斜した領域を有する、ＰＦＭ鍛練機キット（２０）。
2005523089.tif 000002
【特許請求の範囲】
【請求項１】
第一ＰＦＭ鍛練機および第二ＰＦＭ鍛練機を含み、各ＰＦＭ鍛練機は使用者の膣へ挿入するための頭部、および前記頭部から延在する尾を有し、第一ＰＦＭ鍛練機は第二ＰＦＭよりも重く、かつ第一ＰＦＭ鍛練機は第二ＰＦＭ鍛練機よりも小さい頭部を有しかつ／または前記頭部から前記尾へ相対的に長い勾配で徐々に先細りになった領域を有する、ＰＦＭ鍛練機キット。
【請求項２】
前記ＰＦＭ鍛練機キットは、第三ＰＦＭ鍛練機を含み、第三ＰＦＭ鍛練機は使用者の膣へ挿入するための頭部、および前記頭部から延在する尾を有し、かつ第三ＰＦＭ鍛練機は第一ＰＦＭ鍛練機よりも重く、かつ第一ＰＦＭ鍛練機よりも小さい頭部を有しかつ／または前記頭部から前記尾へ相対的に長い勾配で徐々に先細りになった領域を有する、請求項１のＰＦＭ鍛練機キット。
【請求項３】
重量の異なるＰＦＭ鍛練機は、異なる視覚マークにより分別されている、請求項１のＰＦＭ鍛練機キット。
【請求項４】
前記頭部と前記尾の先端との間に、ＰＦＭ鍛練機の必要挿入量を使用者に示すための停止表示器が設けられている、請求項１〜３のいずれか１のＰＦＭ鍛練機キット。
【請求項５】
前記停止表示器は各前記尾の直径の変化を含む、請求項４のＰＦＭ鍛練機キット。
【請求項６】
前記停止表示器は、前記尾に突出部を含む、請求項５のＰＦＭ鍛練機キット。
【請求項７】
前記停止表示器は、前記尾を中心に環状になっている、請求項５または６のＰＦＭ鍛練機キット。
【請求項８】
ＰＦＭ鍛練機、および生理学的に許容できるシースを含み、前記ＰＦＭ鍛練機は使用者の膣へ挿入するために挿入できるものである、キット。
【請求項９】
前記シースは感染防止パッケージに入れられている、請求項８のキット。
【請求項１０】
前記シースはコンドームを含む、請求項８または９のキット。
【請求項１１】
前記ＰＦＭ鍛練機キットは、第三ＰＦＭ鍛練機を含み、第三ＰＦＭ鍛練機は使用者の膣へ挿入するための頭部、および前記頭部から延在する尾を有し、前記尾は可撓性材料により少なくとも一部が形成され、かつ前記尾の自己支持折れを可能にするために前記尾の角度を調整するための角度調整手段を含む、ＰＦＭ鍛練機。
【請求項１２】
前記角度調整手段は、前記尾を挿入するためのジグを含む、請求項１１のＰＦＭ鍛練機。
【請求項１３】
前記ジグは、前記尾のためのカーブを付けた受器である、請求項１２のＰＦＭ鍛練機。
【請求項１４】
前記ジグは、概ねＵ形断面を有する、請求項１２または１３のＰＦＭ鍛練機。
【請求項１５】
可撓性形状保持材料が前記尾の折れ領域に設けられている、請求項１のＰＦＭ鍛練機。
【請求項１６】
前記可撓性形状保持材料は、前記尾に埋設されている、請求項１５のＰＦＭ鍛練機。
【請求項１７】
前記尾は、実質的自己支持体である、請求項１〜１６のいずれか１のＰＦＭ鍛練機。
【請求項１８】
前記尾は、その全長に沿って可撓性である、請求項１７のＰＦＭ鍛練機。
【請求項１９】
前記ＰＦＭ鍛練機キットは、ゴム製またはプラスチック製の生理学的に許容できる外層を含む、請求項１１〜１８のいずれか１のＰＦＭ鍛練機。
【請求項２０】
ウエイトが前記ＰＦＭ鍛練機内に埋設されている、請求項１９のＰＦＭ鍛練機。
【請求項２１】
複数のウエイトが前記頭部を中心にまたは前記ＰＦＭ鍛練機全体に分布されている、請求項１のＰＦＭ鍛練機。
【請求項２２】
ＰＦＭ鍛練機のまわりで少なくとも一部に生理学的に許容できるシースを配置する工程、および使用者の膣へ前記シースを被せたＰＦＭ鍛練機を挿入する工程を含む、ＰＦＭ鍛練機の使用方法。
【請求項２３】
請求項８〜１０に記載のＰＦＭ鍛練機およびシースを含むキットのＰＦＭ鍛練機を使用する、請求項２２のＰＦＭ鍛練機の使用方法。
【請求項２４】
前記シートは、使用後に廃棄される、請求項２２または２３のＰＦＭ鍛練機の使用方法。
【請求項２５】
請求項１１〜２１のいずれか１に記載のＰＦＭ鍛練機を使用する方法であって、前記方法は尾の角度を調節するための角度調整手段を使用する工程、および使用者の膣へＰＦＭ表示器を挿入する工程を含む、ＰＦＭ鍛練機の使用方法。
【請求項２６】
添付図面を参照して説明しかつ添付図面に示したとおりのＰＦＭ鍛練機。
【請求項２７】
添付図面を参照して説明しかつ添付図面に示したとおりのＰＦＭ鍛練機キット。
【請求項２８】
添付図面を参照して説明しかつ添付図面に示したとおりのキット。
【請求項２９】
添付図面を参照して説明しかつ添付図面に示したとおりのＰＦＭ表示器。
【請求項３０】
明細書に記載したとおりのＰＦＭ鍛練機の使用方法。
【発明の詳細な説明】
【技術分野】
【０００１】
本発明は、骨盤床筋（ＰＦＭ）鍛練機、表示器、およびそのキットに関する。
読者は、かかるＰＦＭ鍛練機が、出産の結果または女性が更年期に近づくにつれて年齢と共にＰＦＭが劣化することに一般的に起因する女性のストレスによる失禁を治癒または少なくとも改善するために過去に使用されていることに気づくであろう。
【０００２】
続く説明は、ストレス性失禁を防止、治癒、軽減するために骨盤筋の強度を増すための装置に焦点を当てるが、ここに記載の装置は他の理由で骨盤筋の強度を試験または改良するために同様に使用できる。実際に、過去に提案されているように、ＰＦＭ鍛練機、女性が従来一般的に適切な情報を提供できず、しばしばその存在に気づかなくなるにつれて、ＰＦＭの強度を評価する有意義な手段となる。従って、本発明は、理想的使途であるが、ストレス性失禁を治癒、緩和、または阻止する分野での特定用途に限定されると考えられるべきでない。
【背景技術】
【０００３】
ＰＦＭ鍛練機、およびストレス性失禁を防止または少なくとも軽減するための使用法は、当分野で周知かつ適当に説明されている。
例えば、ＧＢ−Ａ−２０５８５７１は、膣に挿入するための拡大球状端を有する傾斜部を持つシャフトを含みかつそのシャフトの他端から異なる様々なウエイトを懸垂するための備品を含む会陰筋を鍛練するための装置を記載する。
【０００４】
ＵＳ−Ａ−４２４１９１２は、一端にフランジを有する円形シャフトを含むアイソメトリック膣鍛練装置を記載する。シャフトはフランジに隣接して凹状部を有し、凹状部の直径は最小値まで短縮してから、フランジからの距離を増すことにより最大値に拡大する。凹状部は使用者の膣周りの筋肉による装置の把持を可能にする。フランジは楕円形であり、使用者の両脚間での収容を可能にする。ハンドルが装置のフランジ端に取付けられている。
【０００５】
ＥＰ−Ａ−０１９８６４１は装着者のＰＦＭを試験かつ／または強化するための部品セットを記載し、セットは、ＰＦＭから膣へ挿入することのできる実質的的に同一形状および寸法の複数の装置を含み、ＰＦＭが自動的に収縮して装置が膣から落下するのを防止するように構成される。自動的に収縮することはかかる筋肉に自然のことであり、実質的同一筋肉セットが膀胱からの尿の流れを制御または阻止するために使用できるように、このことは失禁に有益に役立つまたは失禁を治癒するための筋肉強化に使用できる。この特許は、更に、セットの装置内で各装置が異なるウエイトを有し、ＰＦＭが徐々に重いウエイトを使用することにより次第に強化されること、各装置は使用時にＰＦＭにより支持される円錐形下部と円形上先端を有することを記載している。この特許は、更に、装置がポリメチレンメタクリレートまたはナイロン等のプラスチックと、クロムメッキによりメッキされる等の生理学的に許容できる適宜にコーティングされた真鍮または鋼等の金属とを組合せた材料から形成されてよいことに言及している。
【０００６】
この装置は、装着者のＰＦＭにより支持できる最も重いウエイトを満足できるように測定する限りにおいて有用であるが、この装置は家庭用またはストレス性失禁の治療に使用することを意図していない。この特許に記載の形態において、上記装置は、各装置の臨床的性質、および装置の一つの特定ウエイトを変更する上での容易性に欠ける点から女性一般による抵抗が大きくかつ受容市場は限定される。
【０００７】
ＥＰ−Ａ−３９２８５４は、必要に応じてＰＦＭ鍛練機の全ウエイトを増大または減少するために設けられる一つまたはそれ以上の異なる形状のウエイトを入れる空洞を形成するために共に密封結合される二部を有するケースで構成されるＰＦＭ鍛練機を記載する。更に、この特許は、その装置が、挿入のために唯一装置を試すのみであり、かつケースは生理学的に許容できる材料を必要とするのみであることから、上述の従来装置等に比べて安価であることに言及する。このようにして、ケースは当然ながら滅菌されかつ再使用される。更に、適宜セットのウエイトがＰＦＭを強化するために必要な程度に応じて設けられる。
【０００８】
この装置は有用でありかつ市場で広く受け入れられているが、ケースおよびウエイトが小さくなる傾向があり、そのために不器用な人にとって組立が困難である点で構成が不必要に厄介である。
【０００９】
更に、女性の膣内で分離または破壊する多部品ＰＦＭ鍛練機に関する示唆がある。
【００１０】
使用者は、しばしば自分のＰＦＭを位置決しかつ収縮することが困難であることに気づく。ＰＦＭ鍛練機はＰＦＭを過ぎて後ろに挿入され、そのようにしてそこを不良にする。更に、正確に挿入されても、多くの女性はＰＦＭを意識的に認識せず、かつどのように働かせるか判らない。
【００１１】
ＰＦＭ鍛練機の設計は、一般的に、次の重要ファクタに左右される。第一に、この装置は膣への挿入に適した形状および寸法でなければならない。このことは、一端で円錐形、中間で円筒形、かつ他端で半球形を描くのが最良であると言われる形状、および最大直径を制限する。第二に、ＰＦＭ鍛練機のウエイトはＰＦＭの多かれ少なかれ激しい運動を提供するためまたは特定条件に適合するために変更可能であることである。
【００１２】
ＰＦＭ鍛練機の他の設計規準は、上述のもの程大きくは評価されていないが、装置の生理学的特徴である。完全に滅菌されているが先に使用されたＰＦＭ鍛練機を使用することは女性にとって抵抗がある。更に、プラスチック等の過去に使用された種類の材料は典型的にはプラスチックであり安全に滅菌されているが、硬く、柔軟性がなく、かつ美観が魅力的でない。
【００１３】
使用者は、感染の虞から反復的洗浄を必要としかかる作業に時間を消耗するために鍛練機の使用には抵抗がある。
【００１４】
【特許文献１】ＧＢ−Ａ−２０５８５７１
【特許文献２】ＵＳ−Ａ−４２４１９１２
【特許文献３】ＥＰ−Ａ−０１９８６４１
【特許文献４】ＥＰ−Ａ−３９２８５４
【発明の開示】
【発明が解決しようとする課題】
【００１５】
本発明の好適形態の目的は、改良されたＰＦＭ鍛練機を提供することにある。
【課題を解決するための手段】
【００１６】
本発明の第一の特徴によれば、第一ＰＦＭ鍛練機および第二ＰＦＭ鍛練機を含み、各ＰＦＭ鍛練機が使用者の膣へ挿入するための頭部、および前記頭部から延在する尾を有し、第一ＰＦＭ鍛練機が第二ＰＦＭ鍛練機よりも重く、かつ第一ＰＦＭ鍛練機は第二ＰＦＭ鍛練機よりも小さい頭部を有しかつ／または前記頭部から前記尾へ相対的に長い勾配で徐々に先細りになった領域を有する、ＰＦＭ鍛練機キットが提供される。
【００１７】
好適には、請求項１に記載の前記ＰＦＭ鍛練機キットは、第三ＰＦＭ鍛練機を含み、第三ＰＦＭ鍛練機は使用者の膣へ挿入するための頭部、および前記頭部から延在する尾を有し、かつ第三ＰＦＭ鍛練機は第一ＰＦＭ鍛練機よりも重く、かつ第一ＰＦＭ鍛練機よりも小さい頭部を有しかつ／または前記頭部から前記尾へ相対的に長い勾配で徐々に先細りになった領域を有する。
【００１８】
好適には、重量の異なるＰＦＭ鍛練機は、異なる視覚マークにより分別されている。
【００１９】
好適には、前記頭部と前記尾の先端との間に、ＰＦＭ鍛練機の必要挿入量を使用者に示すための停止表示器が設けられている。
【００２０】
前記停止表示器は各前記尾の直径の変化を含む。
【００２１】
好適には、前記停止表示器は、前記尾に突出部を含む。
【００２２】
好適には、前記停止表示器は、前記尾を中心に環状になっている。
【００２３】
本発明の第二の特徴によれば、ＰＦＭ鍛練機、および生理学的に許容できるシースを含むキットが提供され、前記ＰＦＭ鍛練機は使用者の膣へ挿入するために挿入できるものである。
【００２４】
好適には、前記シースは感染防止パッケージに入れられている。
【００２５】
前記シースはコンドームを含む。
【００２６】
本発明の第三の特徴によれば、使用者の膣へ挿入するための頭部、および前記頭部から延在する尾を有し、前記尾の少なくとも一部が可撓性材料により形成され、かつ前記尾の自己支持折れを可能にするために前記尾の角度を調整するための角度調整手段を含む、ＰＦＭ鍛練機が提供される。
【００２７】
好適には、前記角度調整手段は、前記尾を挿入するためのジグを含む。
【００２８】
好適には、前記ジグは、前記尾を受けるためのカーブを付けた受器である。
【００２９】
好適には、前記ジグは、概ねＵ形断面を有する。
【００３０】
好適には、可撓性形状保持材料が前記尾の折れ領域に設けられていてよい。
【００３１】
好適には、前記可撓性形状保持材料は前記尾に埋設されている。
【００３２】
好適には、前記尾は実質的自己支持体である。
【００３３】
好適には、前記尾は、その全長に沿って可撓性である。
【００３４】
好適には、前記ＰＦＭ鍛練機は、ゴム製またはプラスチック製の生理学的に許容できる外層を含む。
【００３５】
好適には、ウエイトが前記ＰＦＭ鍛練機内に埋設されている。
【００３６】
好適には、複数のウエイトが前記頭部を中心にまたは前記ＰＦＭ鍛練機全体に分布されている。
【００３７】
本発明の第四の特徴によれば、ＰＦＭ鍛練機のまわりで少なくとも一部に生理学的に許容できるシースを設置する工程、および使用者の膣へ前記シースを被せたＰＦＭ鍛練機を挿入する工程を含む、ＰＦＭ鍛練機の使用方法が提供される。
【００３８】
好適には、前記ＰＦＭ鍛練機およびシースは本発明の第二の特徴によるキットである。
【００３９】
好適には、前記シースは、使用後に廃棄される。
【００４０】
好適には、前記方法は前記角度調整手段を使用して前記尾の角度を調整する工程、および使用者の膣へ前記ＰＦＭ表示器を挿入する工程を含む。
【発明の効果】
【００４１】
上記構成により、使用者は、ＰＦＭ鍛練機を使用して骨盤床筋（ＰＦＭｓ）を位置決めできる。前記尾の直線形態により、使用者は、前記尾を見ることが困難であり、そのために骨盤床筋を撓ませ、かつそのようにして尾を移動させるときに、かかる運動が生じたか否かを説明することが困難である。しかし、曲折する形態に構成することにより、ＰＦＭが運動するときに移動する尾を使用者が見ることのできるように尾を位置決めできる。
【００４２】
本発明の様々な特徴は共に組み合わせることにより理解されるであろう。
【発明を実施するための最良の形態】
【００４３】
次に、添付図面を参照して本発明を例示として説明する。
【００４４】
図１を参照すると、頭部４および尾６を有するＰＦＭ鍛練機２が示されている。ＰＦＭ鍛練機２は長軸を中心に対称的な円形である。
【００４５】
頭部４は使用者の膣へ挿入するのに適した概ね円錐形に形成されている。尾６は頭部４から先端８へ延在する。頭部４と先端８との中間に、尾から突出した環状突出部を有する停止表示器が形成されている。この停止表示器の突出部１０は、挿入時に使用者が感知するように尾の直径を変化させている。他の突出部１２が先端８に設けられる。突出部１２は、ＰＦＭ鍛練機を引き出す、特に尾６に油がぬられる場合に、突出部１２は使用者がＰＦＭ鍛練機２を握るための滑車（purchase)となる、ために有用である。
【００４６】
ＰＦＭ鍛練機２はＳＡＮＴＯＰＲＥＮＥ（商標）熱可塑性ゴム材を射出成形することにより形成され、その内部にウエイト１４（点線で示されている）が封入される。ショア硬度Ａ３５からショア硬度Ｄ４０のＳＡＮＴＯＰＲＥＮＥ（商標）が触感の観点から使用者を満足させる生理学的に許容できる材料である。この材料は、尾を実質的に自己支持体にする。所定程度の尾の折れが可能である。この製造方法は頭部４と尾６との間に適宜伸縮性を付与する線１６を形成する。厳密には、頭部４と尾６間に完全な差異（絶対的区別）があるのではない。
【００４７】
頭部４から尾６へ向かって徐々に狭くなる傾斜部もしくは先細り部１８がある。
【００４８】
使用に際して、ＰＦＭ鍛練機２の頭部４は、ＰＦＭ鍛練機が使用者の膣へ充分に挿入されたことを示す停止表示器１０を使用者が感じるまで使用者の膣へ手で挿入される。使用者の膣内にＰＦＭ鍛練機を保持する動作は使用者のＰＦＭを鍛練する。
【００４９】
訓練により、使用者は所定ＰＦＭ鍛練機を所定位置に保持する能力を非常に変化させることが知見されている。更に、ＰＦＭ鍛練機により使用者の保持能力が向上するに伴って、改良されたＰＦＭは初期ＰＦＭ鍛練機による程ハードに働かなくなるので、使用者の改善程度は低下する。従来技術において、この解決策は、唯一のＰＦＭ鍛練機のウエイトを調整する手段を設ける、通常は、分解可能または再組立可能ＰＦＭ鍛練機へ質量（ｍａｓｓ）の異なるウエイトを挿入することに、向けられてきた。しかし、かかるＰＦＭ鍛練機は、特に適正に質量を増加させない場合には、使用時に分解し、使用者に困難性を与えると信じられている。
【００５０】
そこで、図２に示されたようなＰＦＭ鍛練機キット２０が提案される。図２のＰＦＭ鍛練機キット２０は第一ＰＦＭ鍛練機２２、第二ＰＦＭ鍛練機２４、および第三ＰＦＭ鍛練機２６を含む。各ＰＦＭ鍛練機２２−２６は図１のＰＦＭ鍛練機２と同様であるが（同一参照番号は同様部を示す）、頭部４の形状、およびＰＦＭ鍛練機の質量が相違している（図２に示されていないウエイトの質量１４により基本的に管理される。
【００５１】
図２において、第一ＰＦＭ鍛練機２２は最大頭部４、および最小質量を有する（第二および第三ＰＦＭ鍛練機２４，２６との比較で）。第二ＰＦＭ鍛練機２４は第一ＰＦＭ鍛練機２２と第三ＰＦＭ鍛練機２６との中間の寸法および質量の頭部４を有し、かつ第三ＰＦＭ鍛練機２６は第一および第二ＰＦＭ鍛練機２２，２４よりも小さい頭部４および大きい質量を有する。
【００５２】
使用者にとって、第一ＰＦＭ鍛練機２２は、相対的に大きい頭部４と相対的に軽いウエイトにより、所定位置に保持するのが最も容易である。第二ＰＦＭ鍛練機２４および第三ＰＦＭ鍛練機２６は、頭部の寸法が小さくかつウエイトが増すので所定位置に保持するのが段々に難しくなる。従って、使用者はＰＦＭ鍛練機２２、２４、そして２６を保持するためにＰＦＭ鍛練機キットの使用による鍛練を前進的に難しくすることができる。ＰＦＭ鍛練機のウエイトはキット単位で増加するに従って、頭部４の寸法は減少する。このことは、必要とされるＰＦＭ鍛練機の分解および再組立を伴うことなく行なわれる。
【００５３】
上述のキットは三つのＰＦＭ鍛練機を含むものとして示されているが、理解されるように、二つ以上のいずれの数量のＰＦＭ鍛練機も有益である。ただし、三つまたは四つのＰＦＭ鍛練機キットは使用者の大多数に好適な範囲のＰＦＭ鍛練機を提供する上で好ましいと考えられる。異なるウエイトは、例えば、暗色が相対的に重いことを示す等、異なる色彩により視認できるマークにより分別できる。
【００５４】
図３を参照すると、第一ＰＦＭ鍛練機３２、第二ＰＦＭ鍛練機３４、および第三ＰＦＭ鍛練機３６を含むＰＦＭ鍛練機キット３０が示されている。各ＰＦＭ鍛練機，３２，３４，３６は図１のＰＦＭ鍛練機と同様であるが、頭部４の形状、傾斜部１８およびウエイトもしくは重量が相違し、同様参照番号は同様部を示す。
【００５５】
図３のキット３０の使用は図２のＰＦＭ鍛練機と実質的に同じである。ただし、ＰＦＭ鍛練機３２，３４，３６間における使用者による保持の容易性の相違は、頭部４から尾６への先細り傾斜が相違することにより増大する。第一ＰＦＭ鍛練機３２（最も軽量）は最も保持しやすい階段式傾斜部１８を有する。第二ＰＦＭ鍛練機３４は第一ＰＦＭ鍛練機３２よりも保持を困難にする、徐々に狭くなる傾斜部１８を有する。第三ＰＦＭ鍛練機３６（最も重い）は第一および第二ＰＦＭ鍛練機３２，３４よりも保持が困難な長い勾配の傾斜部１８を有する。
【００５６】
従って、保持の困難性は相対的に小さい頭部および／または相対的に長い勾配で傾斜する尾により相対的に重いＰＦＭ鍛練機を介して制御され得る。
【００５７】
ＰＦＭ鍛練機で使用者が経験する他の困難性はＰＦＭを位置決めし、かつＰＦＭを撓ませるまたは働かせることが問題である点である。
【００５８】
図４を参照すると、ＰＦＭ表示器の尾の角度調整機４０が示され、これは、概ねＵ形断面を呈するカーブを付けたジグであるが、尾の周辺の半分を越える部分をジグに受ける。尾の角度調整機４０は尾を挿入するための溝４２を有する。角度調整機４０はポリプロピレン成形である。
【００５９】
図５を参照すると、ＰＦＭ鍛練機として使用できるＰＦＭ表示器５０が示されている。ＰＦＭ表示器５０は図１のＰＦＭ鍛練機２と実質的に同一である。
【００６０】
ＰＦＭ表示器５０は尾の角度調整機４０の溝４２への尾６の挿入を可能にして尾６に適宜角度９０°を付ける。角度調整機４は停止表示器１０と尾の先端８との間に適用される。ＳＡＮＴＯＰＲＥＮＥ（商標）材による尾６は実質的に自己支持体であり、尾の角度調整機４０はそこへ取付けら、ＰＦＭ表示器５０は実質的に図５に示された形態を採る。
【００６１】
ＰＦＭ表示器として使用するために、本装置は、停止表示器１０に到達するまで使用者の膣へ挿入される。そこで、停止表示器１０は、角度調整機４０を回避し、かつ使用者の膣を収縮させる二重の目的に寄与する。停止表示器１０が感じられると、ＰＦＭ表示器の先端８は、尾６が保持される角度によって、使用者により観察され得る。そこで、使用者は、尾６の先端８が捩れまたは移動し、ＰＦＭ運動のサインを観察するまで種々の筋肉収縮を試みる。そこで、使用者はＰＦＭ鍛練に必要とされる筋肉、即ち、ここに記載の様々なＰＦＭ鍛練機において保持するべき筋肉の柔軟／収縮を認識できる。
【００６２】
他の形態の尾の角度調整機は、尾６の折れ領域、即ち曲折領域において可撓性形状保持細片、代表例として金属細片により提供できる。かかる細片は、射出成形による製造過程で尾６に埋蔵できる。細片５２が参考のために図６に線図により示されている（下を参照）。
【００６３】
図６を参照すると、図１のＰＦＭ鍛練機２に実質的に類似のＰＦＭ鍛練機６０が示されている（同様参照番号は同様部を示す）。更に、図６において、ＰＦＭ鍛練機６０の少なくとも頭部４を使用者の膣への継続的挿入のために挿入されるコンドーム等の生理学的に許容できるシース６２が示されている。シース６２は使用者の膣との接触からＰＦＭ鍛練機６０を保護する。使用後に、シース６２は破棄でき、かつＰＦＭ鍛練機０は時間のかかる洗浄を伴うことなく再使用できる。理解されるように、シース６２は首尾よくＰＦＭ表示器に使用できる。シース６２はフォイル、プラスチック、または他の感染予防パックに入れられてよい。
【００６４】
読者の注意はこの出願にかかる本明細書と共にまたはその前に提出されかつ公衆審査のために公表される全書類に向けられ、かつかかる書類の全内容が参考としてここに組み込まれる。
【００６５】
本明細書（特許請求の範囲、要約および図面を含む）に開示の全特徴、および／または開示の方法および加工の全工程はいずれかの組合せにより組合せることができるが、かかる特徴および／または工程の少なくとも幾つかは相互に絶対的である組合せを除く。
【００６６】
本明細書（特許請求の範囲、要約および図面を含む）に開示の各特徴は、特に記載しないかぎり、同一、均等、類似の目的に供する他の特徴により置き換えることができる。従って、特記しないかぎり、開示された各特徴は一連の均等または類似の特徴の一例にすぎない。
【００６７】
本発明は上述の実施形態の細部に制限されない。本発明は、本明細書（特許請求の範囲、要約および図面を含む）に開示の特徴の新規な一つの特徴、または新規な組合せ、または開示の方法の工程または過程の新規な一つの特徴、または新規な組合せに及ぶ。
【図面の簡単な説明】
【００６８】
【図１】本発明の実施形態によるＰＦＭ鍛練機の平面図である。
【図２】本発明の実施形態によるＰＦＭ鍛練機キットの平面図である。
【図３】本発明の他の実施形態によるＰＦＭ鍛練機キットの平面図である。
【図４】ＰＦＭ鍛練機に使用される尾調整機の概略斜視図である。
【図５】ＰＦＭ表示器形態に使用されるＰＦＭ鍛練機の側面図である。
【図６】本発明の更に他の実施形態によるＰＦＭ鍛練機の概略図である。
【図１】
2005523089.tif 000003
【図２】
2005523089.tif 000004
【図３】
2005523089.tif 000005
【図４】
2005523089.tif 000006
【図５】
2005523089.tif 000007
【図６】
2005523089.tif 000008
【手続補正書】
【提出日】平成16年11月1日(2004.11.1)
【手続補正１】
【補正対象書類名】特許請求の範囲
【補正対象項目名】全文
【補正方法】変更
【補正の内容】
【特許請求の範囲】
【請求項１】
第一ＰＦＭ鍛練機および第二ＰＦＭ鍛練機を含み、各ＰＦＭ鍛練機は使用者の膣へ挿入するための頭部、および前記頭部から延在する尾を有し、第一ＰＦＭ鍛練機は第二ＰＦＭ鍛練機よりも重く、かつ第一ＰＦＭ鍛練機は第二ＰＦＭ鍛練機よりも小さい頭部を有しかつ／または前記頭部から前記尾へ相対的に長い勾配で徐々に先細りになった領域を有する、ＰＦＭ鍛練機キット。
【請求項２】
前記ＰＦＭ鍛練機キットは、第三ＰＦＭ鍛練機を含み、第三ＰＦＭ鍛練機は使用者の膣へ挿入するための頭部、および前記頭部から延在する尾を有し、かつ第三ＰＦＭ鍛練機は第一ＰＦＭ鍛練機よりも重く、かつ第一ＰＦＭ鍛練機よりも小さい頭部を有しかつ／または前記頭部から前記尾へ相対的に長い勾配で徐々に先細りになった領域を有する、請求項１のＰＦＭ鍛練機キット。
【請求項３】
前記ＰＦＭ鍛練機において前記尾の角度を調整するための角度調整手段を含む、請求項１または２のＰＦＭ鍛練機キット。
【請求項４】
異なる重量のＰＦＭ鍛練機は、異なる視覚マークにより分別されている、請求項１〜３のいずれか１のＰＦＭ鍛練機キット。
【請求項５】
前記頭部と前記尾の先端との間に、ＰＦＭ鍛練機の必要挿入量を使用者に示すための停止表示器が設けられている、請求項１〜４のいずれか１のＰＦＭ鍛練機キット。
【請求項６】
前記停止表示器は各前記尾の直径の変化を含む、請求項５のＰＦＭ鍛練機キット。
【請求項７】
前記停止表示器は、前記尾に突出部を含む、請求項６のＰＦＭ鍛練機キット。
【請求項８】
前記停止表示器は、前記尾を中心に環状になっている、請求項６または７のＰＦＭ鍛練機キット。
【請求項９】
ＰＦＭ鍛練機、および生理学的に許容できるシースを含み、前記ＰＦＭ鍛練機は使用者の膣へ挿入するために挿入できるものである、キット。
【請求項１０】
前記シースは感染防止パッケージに入れられている、請求項９のキット。
【請求項１１】
前記シースはコンドームを含む、請求項９または１０のキット。
【請求項１２】
使用者の膣へ挿入するための頭部、および前記頭部から延在する尾を有し、前記尾は可撓性材料により少なくとも一部が形成され、かつ前記尾の自己支持折れを可能にするために前記尾の角度を調整するための角度調整手段を含む、ＰＦＭ鍛練機。
【請求項１３】
前記角度調整手段は、前記尾を挿入するためのジグを含む、請求項１２のＰＦＭ鍛練機。
【請求項１４】
前記ジグは、前記尾のためのカーブを付けた受器である、請求項１３のＰＦＭ鍛練機。
【請求項１５】
前記ジグは、概ねＵ形断面を有する、請求項１３または１４のＰＦＭ鍛練機。
【請求項１６】
可撓性形状保持材料が前記尾の折れ領域に設けられている、請求項１２のＰＦＭ鍛練機。
【請求項１７】
前記可撓性形状保持材料は、前記尾に埋設されている、請求項１６のＰＦＭ鍛練機。
【請求項１８】
前記尾は、実質的自己支持体である、請求項１２〜１７のいずれか１のＰＦＭ鍛練機。
【請求項１９】
前記尾は、その全長に沿って可撓性である、請求項１８のＰＦＭ鍛練機。
【請求項２０】
前記ＰＦＭ鍛練機キットは、ゴム製またはプラスチック製の生理学的に許容できる外層を含む、請求項１２〜１９のいずれか１のＰＦＭ鍛練機。
【請求項２１】
ウエイトが前記ＰＦＭ鍛練機内に埋設されている、請求項２０のＰＦＭ鍛練機。
【請求項２２】
複数のウエイトが前記頭部を中心にまたは前記ＰＦＭ鍛練機全体に分布されている、請求項２１のＰＦＭ鍛練機。
【国際調査報告】
2005523089.tif 000009
2005523089.tif 000010
2005523089.tif 000011
2005523089.tif 000012
2005523089.tif 000013
2005523089.tif 000014
2005523089.tif 000015